(57)【要約】【課題】この発明は、主としてサッカー競技で競技者が靴下の内側に保持して使用する脛当ての提供にある。【解決手段】所要の強度と剛性をもつ厚みに硬質合成樹脂材により設けられる基板と、その基板の内面に直接に接着される立体編地緩衝材とから構成される脛当てにおいて、前記基板は所要形状の通気孔が所要に配列され、前記立体編地緩衝材は、一方面が表面網目部に、他方面が裏面網目部に編成され、かつ、その表面網目部と裏面網目部を所要の間隔で平行に対応させ、所要の弾力をもつ直立単糸が所要密度で差し渡して編成され、一方面の表面網目部と他方面の裏面網目部が直立単糸により所要の弾力で離隔して支承され、基板の内面と裏面網目部の連接面が所要手段により接着一体化されてなる。【選択図】        図３
2004254776.tif 000002
【特許請求の範囲】
【請求項１】
所要の強度と剛性をもつ厚みに硬質合成樹脂材により設けられる基板と、その基板の内面に直接に接着される立体編地緩衝材とから構成される脛当てにおいて、前記基板は所要形状の通気孔が所要に配列され、前記立体編地緩衝材は、一方面が表面網目部に、他方面が裏面網目部に編成され、かつ、その表面網目部と裏面網目部を所要の間隔で平行に対応させ、所要の弾力をもつ直立単糸を所要密度で差し渡して編成され、一方面の表面網目部と他方面の裏面網目部が直立単糸により所要の弾力で離隔して支承され、基板の内面と裏面網目部の連接面が所要手段により接着一体化されてなる脛当て。
【発明の詳細な説明】
【０００１】
【発明が属する技術分野】
この発明は、主としてサッカー競技で競技者が靴下の内側に保持して使用する脛当てに関するものである。
【０００２】
【従来の技術】
従来、サッカーのスポーツ競技者が使用する脛当ては、例えば、特開平８−１３１６０１号公開公報に開示されるように、合成樹脂材の基板を中心にその外側と内側とに合成樹脂スポンジ板を接着したものがあるが、一般には、基板の内側にのみ合成樹脂スポンジ板を接着したものが使用されている。
また、特開２００２−０１７９３８号公報では、エラストマー線状ランダムスプリングマットを硬質の基板に接着したものが開示されている。
【０００３】
【発明が解決しようとする課題】
前記従来の項で述べたように、基板の内側に合成樹脂スポンジ板を接着したものは、汗等の水分の吸湿性が悪く、常時装着していると皮膚の健康面に問題がある。また、表面に水滴となって付着し、これが相互の潤滑材になって滑り易く、脛とのフィッテング性が悪く、ずれることがしばしば発生し、ボールを当てたとき、方向が一定しない欠点があった。
【０００４】
前記エラストマー線状ランダムスプリングマットを硬質の基板に接着したものは、吸湿性においては優れているが、結合がその内面側のみであるため、スプリングマットとしての強度と、定点保持性について問題を内在的に有するものである。
【０００５】
この発明は、かかる従来の欠点を解消することを目的になされたもので、軽量性、通気性、衝撃吸収性、フィッテング性において優れた主としてサッカー競技で使用される脛当てを提供しようとなされたものである。
【０００６】
【課題を解決するための手段】
所要の強度と剛性をもつ厚みに硬質合成樹脂材により設けられる基板と、その基板の内面に直接に接着される立体編地緩衝材とから構成される脛当てにおいて、前記基板は所要形状の通気孔が所要に配列され、前記立体編地緩衝材は、一方面が表面網目部に、他方面が裏面網目部に編成され、かつ、その表面網目部と裏面網目部を所要の間隔で平行に対応させ、所要の弾力をもつ直立単糸を所要密度で差し渡して編成され、一方面の表面網目部と他方面の裏面網目部が直立単糸により所要の弾力で離隔して支承され、基板の内面と裏面網目部の連接面が所要手段により接着一体化されてなる脛当てにある。
【０００７】
【発明の実施の形態】
所要の強度と剛性をもつ厚みに硬質合成樹脂材により設けられる基板と、その基板の内面に直接に接着される立体編地緩衝材とから構成される脛当てにおいて、前記基板は所要形状の通気孔所要に配列され、前記立体編地緩衝材は、一方面が表面網目部に、他方面が裏面網目部に編成され、かつ、その表面網目部と裏面網目部を所要の間隔で平行に対応させ、所要の弾力をもつ直立単糸を所要密度で直立に差し渡して編成され、一方面の表面網目部と他方面の裏面網目部が直立単糸により所要の弾力で離隔して支承され、立体編地緩衝材の裏面網目部が基板の内面に直接に連接され、その基板の内面と裏面網目部の連接面が相互溶融または接着剤により接着一体化されてなる脛当て。
【０００８】
【実施例】
以下、この発明の脛当て１を、図面に示す実施例にしたがって説明すると、２は、基板で、硬質合成樹脂材により防護具として所要の強度と剛性をもつ厚みに構成され、かつ、使用部である脛の外面に適合する形状に形成される。３は、立体編地緩衝材で、前記基板２の内面２ｂに直接に接着される。
【０００９】
前記基板２は、所要形状の通気孔４が所要に配列されて開口される。またその外面２ａに所要の突状面５および凹陥面６による模様７が形成されてもよいものである。
【００１０】
前記立体編地緩衝材３は、その表面と裏面、すなわち、一方面が表面網目部３ａに、他方面が裏面網目部３ｂに編成され、かつ、その表面網目部３ａと裏面網目部３ｂを所要の間隔で平行に対応させ、所要の弾力をもつ直立単糸８が所要密度で直立に差し渡して編成され、一方面の表面網目部３ａと他方の面の裏面網目部３ｂが直立単糸８により所要の弾力で離隔支承されるものである。直立単糸８の差し渡しについては、図７に示すようにＸ型に交叉させても、また、図８に示すように直立型とＸ型を混合する等、その他色々と混合交叉させてもよいものである。
【００１１】
前記立体編地緩衝材３の前記基板２の内面２ｂに対する接着は、立体編地緩衝材３の裏面網目部３ｂを基板２の内面２ｂに直接に連接し、その基板２の内面２ａと裏面網目部３ｂの連接面を相互溶融または接着剤により接着一体化してなるものである。
【００１２】
この発明の脛当て１は、前述のように構成されるから、第１に、基板２は、硬質合成樹脂材で防護具として使用部の脛に適合した形状に、所要な強度と剛性を具備して軽量に構成することができ、またその外面には突状面５または凹陥面６により模様７を構成して外観を装飾すると共に、重量を上げることなく剛性を上げることができ、一層の軽量化を図ることができるものである。
【００１３】
第２に、基板２は、通気孔４がバランスよく所要に開口されているから、その通気孔４を通じて基板２の内外に空気が出入し、内側の湿気が外側に排出され、また、そのとき、内側には排出された空気量だけ吸入され、内側に汗等による湿気がこもることがないものである。
【００１４】
第３に、基板２の内側には、立体編地緩衝材３における裏面網目部３ｂの連接部分が接着するので、網目を通して通気孔４と連通し、立体編地緩衝材３の表面網目部３ａとは、直立単糸８により所要の弾力で所要の間隔に、直立に離隔支承しているから、立体編地緩衝材３内において、通気層が構成され、通気自在に連通し、また、表面網目部３ａにおいて網目に開口しているから、外気と通気自在に連通し、表面網目部３ａに連接する脛と良好な通気性が確保されるものである。
【００１５】
第４に、使用部の脛との連接面となる立体編地緩衝材３の表面網目部３ａは、網目であるから、線状に接触し、接触圧を高め、脛との間に摩擦抵抗を飛躍的に増加させるので、靴下の弾性作用で押さえ、定点を保持してずれを防止し、試合中の良好なフィッテングを確保するものである。
【００１６】
第５に、立体編地緩衝材３の表面網目部３ａと裏面網目部３ｂとの間は、直立単糸８により所要の弾力で所要の間隔に、直立に離隔支承しているから、衝撃緩衝性に優れ、また、ずれが生じないので、脛当てにボールを当てたときの方向性を正確に出すことができ、正確なパスを行えるものである。
【００１７】
前記立体編地緩衝材３は、図９に示すように、前記基板２の周縁形状に対応して切断し、かつ、その立体編地緩衝材３の周縁をテープ９によりほつれ止をなし、それから前記基板２の内面２ａに接着してもよいものである。
【００１８】
【発明の効果】
この発明の脛当ては、軽量性、通気性、衝撃吸収性、フィッテング性において優れた効果を奏するものである。
【図面の簡単な説明】
【図１】この発明の脛当ての実施例を示す正面図である。
【図２】同じく、背面図である。
【図３】同じく、図１のＡ−Ａ線に沿う断面図である。
【図４】実施例における立体編地緩衝材を一方面から見た部分斜視図である。
【図５】同じく、他方面から見た部分斜視図である。
【図６】同じく、説明断面模型図である。
【図７】同じく、直立単糸をＸ型に交叉させたときの説明断面模型図である。
【図８】同じく、直立単糸を直立とＸ型とに交叉させたときの説明断面模型図である。
【図９】同じく、立体編地緩衝材の縁をテープでほつれ止めをした脛当ての実施例を示す背面図である。
【符号の説明】
１  脛当て
２  基板
２ａ  外面
２ｂ  内面
３  立体編地緩衝材
３ａ  表面網目部
３ｂ  裏面網目部
４  通気孔
５  突状面
６  凹陥面
７  模様
８  直立単糸
９  テープ
【図１】
2004254776.tif 000003
【図２】
2004254776.tif 000004
【図３】
2004254776.tif 000005
【図４】
2004254776.tif 000006
【図５】
2004254776.tif 000007
【図６】
2004254776.tif 000008
【図７】
2004254776.tif 000009
【図８】
2004254776.tif 000010
【図９】
2004254776.tif 000011